(57)【要約】携帯用ディスペンサーは混合チャンバ（１６）と流体交換自在の供給チャンバ（１２）を有する。それぞれの供給チャンバ（１２）は流体成分を供給チャンバ（１２）から混合チャンバ（１６）まで移動させる投与手段（２６）を有する。混合チャンバ（１６）は個々の成分の均質な混合物を形成するためのミキサー（３２）を有する。混合チャンバ１６の柔軟な側壁５０により均質の混合物を混合チャンバ１６の外へ搾り出すことができる。
2004513033.tif 000002
【特許請求の範囲】
【請求項１】
（ａ）上端と下端を有する細長いシェル、
（ｂ）前記シェルの前記下端に当接するようにシェル内に収容された複数の供給チャンバ、
（ｃ）前記各供給チャンバに１つずつ収容された、互いに融和性のある複数の流体成分、
（ｄ）前記シェルの前記上端内に、前記供給チャンバのそれぞれと流体交換自在に収容され、前記シェルの外側から、前記シェルの前記上端を介して働きかけることのできる混合チャンバ、
（ｅ）前記各供給チャンバに１個ずつ設けられ、その供給チャンバ内の前記流体成分を一定量ずつ計り取り、その計り取った流体成分を前記混合チャンバに移動させる複数の投与手段、および
（ｆ）前記混合チャンバに設けられ、前記流体成分を混合して、均質の流体混合物を形成する混合手段、
からなることを特徴とする携帯用ディスペンサ
【請求項２】
前記均質の流体混合物がマニキュア液、口紅、アイシャドウ、ファンデーション、アイライナーからなる群から選択されることを特徴とする請求項１記載のディスペンサー。
【請求項３】
前記均質の流体混合物が磨歯剤、ハンドクリーム、ボディークリーム、ローション、石鹸、シャンプー、ハンドコンディショナー、ヘアコンディショナー、ヘアージェル、スタイリング剤、日焼けローション、日焼け止め、デオドラント、シェービングクリーム、ヘアダイ、ヘアカラーからなる群から選択されることを特徴とする請求項１記載のディスペンサー。
【請求項４】
前記各投与手段が
前記シェルの前記下端に取り付けられた回転自在のスクリューキャップ、
前記供給チャンバの前記上端に取り付けられ、前記混合チャンバとの流体交換可能な１つあるいはそれ以上の孔を有する固定キャップ、
前記固定キャップの中において前記上端に回転自在に取り付けられ、前記スクリューキャップの中において前記下端に固定された、螺条を有するロッド、および
雌螺子を有し、前記スクリューキャップの回転により前記ロッドに沿って動くように前記螺条を有するロッドに取り付けられた可動ベース、
を有することを特徴とする請求項１記載のディスペンサー。
【請求項５】
前記混合手段が
前記シェルの前記下端から前記混合チャンバまで延び、前記下端において螺条を有する混合シャフト、
前記混合シャフトの前記上端において前記混合シャフトに固着された、前記混合チャンバの中に位置する撹拌バー、
前記混合シャフトの螺条を有する前記下端に回転自在に取り付けられた、前記シェルの前記下端に位置するアクチュエーターボタン、
前記シェルの前記上端と前記下端の間に位置し、前記混合シャフトを回転自在に保持するサポートプレート、
前記サポートプレートと前記アクチュエーターボタンとの間において前記混合シャフトの周囲に位置されたコイルばね、
を有し、前記アクチュエーターボタンを押すと撹拌バーが一方向に回転し、前記アクチュエーターボタンを放すと、前記アクチュエーターボタンが前記コイルばねによって外側に動かされて前記撹拌バーが逆方向に回転することにより、前記個々の成分が混合され前記均質の混合物を形成するようになっていることを特徴とする請求項１記載のディスペンサー。
【請求項６】
流体成分を収容した、前記混合チャンバと流体交換自在な第３の供給チャンバ、および
前記第３の供給チャンバに設けられた第３の投与手段、
をさらに備えたことを特徴とする請求項１記載のディスペンサー。
【発明の詳細な説明】
【０００１】
発明の背景
１．発明の分野
本発明はディスペンサー、特に、個々の流体成分から均質の混合物を形成する携帯用ディスペンサーに関するものである。本発明の携帯用ディスペンサーは特に練り歯磨き、シャンプー、化粧品のようなパーソナルケア用品として実施できる。
【０００２】
２．先行技術
個々の流体成分から混合物を形成する携帯用ディスペンサーは米国特許第４，９９３，５９４号明細書に開示されているように公知である。化粧成分用の携帯用ディスペンサーもまた知られている。しかしながら、それらの携帯用ディスペンサーは個々の化粧用成分を混合して混合物を形成することはできない。
【０００３】
そのため、その場で自分のパーソナルケア用品を調合できる携帯用ディスペンサーが要求されている。
【０００４】
発明の概要
個々の流体成分をその場で混合して、得られた混合物合物を分与できるようにした携帯用の軽量のディスペンサーを発見した。本発明は、複数の異なった個々の流体成分を混合して、均質の流体混合物を形成し、得られた混合物をその場で分与して消費者が直ちに使用できるようにするものである。このディスペンサーはパーソナルケア用品において特に有用である。
【０００５】
本発明は、広い意味では、
（ａ）上端と下端を有する細長いシェル、
（ｂ）前記シェルの前記下端に当接するようにシェル内に収容された複数の供給チャンバ、
（ｃ）前記各供給チャンバに１つずつ収容された、互いに融和性のある複数の流体成分、
（ｄ）前記シェルの前記上端内に、前記供給チャンバのそれぞれと流体交換自在に収容され、前記シェルの外側から、前記シェルの前記上端を介して働きかけることのできる混合チャンバ、
（ｅ）前記各供給チャンバに１個ずつ設けられ、その供給チャンバ内の前記流体成分を一定量ずつ計り取り、その計り取った流体成分を前記混合チャンバに移動させる複数の投与手段、および
（ｆ）前記混合チャンバに設けられ、前記流体成分を混合して、均質の流体混合物を形成する混合手段、
からなることを特徴とする携帯用ディスペンサに関するものである。
【０００６】
本発明を用いて形成することができる流体混合物としては化粧品、磨歯剤、ハンドクリーム、ボディクリーム、ハンドローション、ボディローション、石鹸、シャンプー、ハンドコンディショナー、ヘアコンディショナー、ヘアジェル、スタイリング剤、日焼けローション、日焼け止め剤、デオドラント、香水、シェイビングクリーム、ヘアダイ、ヘアカラーのような流体のパーソナルケア用品が適切である。本発明で調合できる化粧品には口紅、アイシャドウ、ファンデーション、アイライナー、爪のマニキュア液等がある。上記のように、個々の成分も成分から形成される混合物も流体の形状でなければならない。
【０００７】
本明細書（請求の範囲を含む）において、「流体」という術語は、供給チャンバと混合チャンバの間を流して、混合チャンバの中で混合して均質の流体混合物を形成することのできる気体、液体、固体を意味するものとする。その流体は供給チャンバから混合チャンバに流れることができる粘度でなければならない。従って、粉体でも容易に流れて混合できるものは用いることができる。またワックスでも圧力をかけると流れるものは使用できる。
【０００８】
それぞれの供給チャンバがそれ自身の投与手段を持っていて、またその投与手段をユーザーが操作するので、混合チャンバの中に投与するそれぞれの成分の量はユーザーが決定できる。すなわち、各供給チャンバは、混合チャンバに加える各成分の量をユーザーが決定するための手段を有している。各投与手段は他と関係なく別々に操作する。従って、ユーザーは混合物を調合するたびに、個々の成分の量を明確に決めなけれがならない。これはユーザーに与えられる柔軟性を大きくするものである。ユーザーは何をどれくらい加えればいいかを自身で決定してもよいし、所定の混合物を得るためには、何をどのくらい加えたらよいかを示すグラフを使用して決定してもよい。そのようなグラフは印刷物としてもよいし、インターネットによって入手できるようにしてもよい。
【０００９】
チャンバには別々の成分が入れられ、またユーザーはチャンバが空になったときに新しいものと変えてもよいし、より多種類の混合物を作れるように異なる成分の入ったものと交換するようにしてもよい。
【００１０】
発明の詳細な説明
本発明の上記特徴および他の特徴は、以下の図面を参照すればより十分に理解できるだろう。
【００１１】
図１において、本発明のディスペンサーは３つの供給チャンバを収容した固く細長いシェル１０を有する。それぞれの供給チャンバ１２には流体成分１４が収容されている。それぞれの供給チャンバはその上端において混合チャンバ１６と流体交換自在になっている。混合チャンバ１６の上端にはスクリュートップ１８が取り付けられている。スクリュートップ１８を外すと混合チャンバ１６内の均質の流体混合物にアクセスできる。
【００１２】
それぞれの供給チャンバ１２には、そのチャンバ１２の下端にあるスクリューキャップ２２からチャンバ１２の上端にある固定キャップ２４まで伸びたロッド２０がついている。ロッド２０は固定キャップ２４上で回転できる。ロッド２０の周囲には螺条が切られており、その螺条に可動ベース２６上に切られた雌螺子が螺合し、スクリュウキャップ２２を回転させると、可動ベース２６が上下動するようになっている。それぞれのチャンバ１２の上端には混合チャンバ１６まで貫通する貫通孔２８が設けられている。流体成分１４はその貫通孔２８を通って、供給チャンバ１２から混合チャンバ１６まで移動する。
【００１３】
混合チャンバ１６内に収容された撹拌バー３２に混合シャフト３０が固定されていて、混合チャンバ１６内の流体成分を混合する。混合シャフト３０の他端にはアクチュエーターボタン３４がある。混合シャフト３０はサポートプレート３６によって所定の位置に保持されている。サポートプレート３６とアクチュエーター３４の間にはコイルばね３８が配されている。混合シャフト３０には、アクチュエーター３４が上方へ押されると撹拌バー３２が一方向に回転するように螺条が切られている。アクチュエーターボタン３４を放すと、コイルばね３８によりアクチュエーターボタン３４が下方へ動き、撹拌バー３２は反対の方向に回転する。
【００１４】
図１、２、３、４に示すようにシェル１０は形が円筒形で、供給チャンバ１２も形は円筒形だが、混合チャンバ１６の下端とかみあうように傾斜した上端を有する。図５に示すようにシェル１０の内側は複数の部屋に仕切られていて、これらの部屋は供給チャンバ１２として使用されている。
【００１５】
供給チャンバ１２の数は特に限定されるものではなく、図２には３つの供給チャンバを有するものが、図４には４つの供給チャンバを有するものが、また図５には１０個のの供給チャンバを有するものが示されている。後述するが、図８には２つの供給チャンバを有するものが示されている。ディスペンサーの意図されている使用目的に応じて供給チャンバの数を決定するのが望ましい。最終敵な混合物の色が重要な場合は、少なくとも３つの供給チャンバを使用することが望ましい。
【００１６】
スクリューキャップ２２は外側に等間隔で固定された０から１０までの数字を有する指回し式円板であることが望ましい。外側にあるその数字によって、ユーザーは混合チャンバ１６に加える成分の量を制御することができる。ロッド２０と可動ベース２６が螺合しているため、スクリューキャップ２２を回転させると可動ベース２６が上方へ動き、成分１４が貫通孔２８を通って混合チャンバ１６へ押し出される。
【００１７】
混合チャンバ１６からスクリュートップ１８を取ると、混合チャンバ１６の上端が開き混合チャンバ１６に入った均質の流体混合物を利用できるようになる。ユーザーはその時混合チャンバから混合物を取るために、指もしくは他のアプリケーターを用いることができる。
【００１８】
図１の実施の形態においては、スクリュートップ１８内にユーザーが化粧品をつけるのに用いられているブラシやパドルのようなアプリケーターを収容することができる。そのようなアプリケーターは、使用しないときスクリュートップ１８内に収まるような伸縮自在のポールに取り付けてスクリュートップ１８内に収容してもよいし、混合チャンバ１４内に延びるような長いポールに取り付けてスクリュートップ１８内に収容してもよい。混合チャンバ１６の上端の縁が、使用しないときアプリケーターを、混合チャンバ１６内に進入しないように押さえるようにしてもよい。
【００１９】
図６、７に示す他の実施の形態においては、ディスペンサーは混合チャンバ１６の下端にプレート４０を備えている。プレート４０は混合チャンバ１６の下端内で回転できる。プレート４０は回転して貫通孔２８を閉じる。プレート４０は混合チャンバ１６の下端の貫通孔２８とそれぞれ整列する複数の貫通孔４２を有している。図７に示す貫通孔４２と２８が整列していない状態からレバー４４を回転させると、貫通孔４２と２８が整列し、流体成分が供給チャンバ１２から混合チャンバ１６に流れることができるようになる。レバー４４を回転させて貫通孔４２と２８とが整列しないようにすると、流体成分１４は２つのチャンバの間を流れることができなくなる。
【００２０】
図８は本発明のディスペンサーのもう一つの望ましい実施の形態の側面図である。また図９は図８の９−９線に沿った上面図である。図８、９に示す実施の形態においては、２つの供給チャンバ１２が設けられる。図９に示すように、シェル１０の底部は２つの供給チャンバに半分に分割されている。それぞれの供給チャンバは、前述同様に、供給チャンバ１２内の流体成分を混合チャンバ１６内に押し上げる可動ベース２６を有している。プレート４０が混合チャンバ１６内に位置し、シャフト３０の周囲にレバー４４によって回転されて貫通孔２８と４２（図示せず）を整列させて供給チャンバ１２と混合チャンバ１６の間の流体交換を可能にする。
【００２１】
図８の実施の形態では、シェル１０の、混合チャンバ１６に対向する部分は、柔軟な側壁５０を有しており、混合チャンバ１６の中で形成される均質の混合物を混合チャンバ１６の外へスクリュートップ５４に覆われた出口５２を通って押し出せるようになっている。
【００２２】
柔軟な側壁５０は離されると最初の形に戻る。
【００２３】
上記の実施の形態では、撹拌バー３２はシャフト３０から外へ水平に伸びる一本のバーとされているが、側壁５０を収縮させて、混合チャンバ１６の外へ混合物を押し出すのを妨げない限りどんな形でもどんな大きさでも差し支えない。
【００２４】
スクリュートップ５４を外すと、混合チャンバ１６から混合物を出すことができる。ねり歯磨き、シャンプー、石鹸の場合、出口５２は単一の孔であるが、脱臭剤の場合、出口５２を複数の孔に分割して、出口５２を通る脱臭剤の流れを細くし、同時に表面積を広げる。
【００２５】
図１に示すように、それぞれの供給チャンバの上端は混合チャンバの底部に合うように、また供給チャンバと混合チャンバの間の流体交換を可能にするように形作られている。供給チャンバ１２をシェル１０の内側から完全に取り外しできるようにしてもよい。この場合には貫通孔２８は、供給チャンバの上端に穴をあけるような尖ったパイプとすることができる。このようなパイプは着脱自在の供給チャンバと混合チャンバの間の流体交換を可能にする。
【００２６】
また供給チャンバを着脱自在とするときには、投与手段を供給チャンバに組み込んでもよいし、ロッド２０を伸縮自在とし、可動ベース２６をロッド２０の上端に当接させ、ロッド２０を伸ばすとベース２６が上動して、混合チャンバ１６の中へ流体成分を押し込むようにしてもよい。
さらに、供給チャンバにその供給チャンバの長さ全体に亘って延びる孔を設け、その孔にロッド２０を入れ、ロッド２０、スクリューキャップ２２および可動ベース２６を着脱自在としてもよい。そのような実施の形態では、供給チャンバ１２はドーナツ型の断面を持つことになる。
【００２７】
図１０は孔６２を有する着脱自在の供給チャンバ６２を有するディスペンサーの側面図であり、図１１は１１−１１線に沿って取った図１０のディスペンサーの上面図である。上記から明らかなように、シャフト２０が通っている中央の孔６０のために、供給チャンバ６２はドーナツ型の断面を有する。図１０において、孔２８は交換可能な供給チャンバ６２の上端を突き破る中空の槍状の部材として示されている。また撹拌バー３２は一対の羽根を有している。
【００２８】
図１０に示すように、ロッド２０はフック−孔構造によって着脱自在に固定キャップ２４に連結されており、ロッド２０を可動ベース２６とスクリューキャップ２２と一緒にディスペンサーから取り外して、着脱自在な供給チャンバをそこに差し込めるようになっている。ロッド２０、可動ベース２６、スクリューキャップ２２を孔６０内に差し込み、ロッド２０の上端を固定キャップ２４に取り付けると、ロッド２０、スクリューキャップ２２、可動ベース２６が固定キャップ２４から吊り下げられることになる。着脱自在の供給チャンバ６２の下端部は破断ベース６４と折りたたみ式の内壁６６になっている。外壁６８は堅く、可動ベース２６との間が良好にシールされる。フック−孔構造は可動ベース２６がチャンバ６２の中で流体を圧縮している間、ロッド２０を静止した状態に保つ。
【００２９】
あるいは図１２に示すように、固定キャップ２４を固定とし、スクリューキャップ２２、可動ベース２６、ロッド２０を着脱自在としてもよい。この実施の形態においては、着脱自在な供給チャンバ７２は破断ベース７４、堅い側壁７６、穿孔可能な頂壁７８を有する。破断ベース７４もロッド２０の先端で穿孔可能である。孔２８は、頂壁７８に穿孔して供給チャンバ７２と混合チャンバ１６の間の流体交換を可能にする中空の槍状部材である。ロッド２０は、固定キャップ２４に設けられた溝と公知の方法で噛み合い、底部７４に穿孔する尖ったキー状の先端８０を有している。固定キャップ２４も頂壁７８に穴をあけられるように尖っている。また、固定キャップ２４とキー状の先端８０はキーースロット方式で係合し、ロッド２０を固定するとともに、ロッド２０が回転し、それに伴って可動ベース２６が上動して流体成分を中空の槍状部材２８を通って混合チャンバ１６へ押し込んでも、ロッド２０が軸方向に移動しないようにロッド２０を保持する。
【００３０】
シェル１０の底にはロッド２０を入れるためのスロット８４を有する跳ね蓋８２がシェル１０の側壁にヒンジによって取り付けられている。スロット８４は跳ね蓋８２が閉まっている時ロッド２０を入れられるように跳ね蓋の一側縁まで延びている。
【００３１】
ロッド２０と固定キャップ２４とを他の構造を用いて結合してもよい。可動ベース２６と側壁７６との間は堅く密閉する必要がある。
【００３２】
シェル１０の壁、供給チャンバ１２と混合チャンバ１６の壁は共通でもよい。シェル１０は必ずしも固い壁を有する必要はなく、様々な成分を収容できるものであれば枠だけでもよい。シェル１０が枠であるときには、混合チャンバと供給チャンバは、それらが収容している成分が流体である以上、固い壁を有する必要がある。供給チャンバが着脱自在である場合は、その供給チャンバ１２は固い壁を有する必要があるが、シェル１０その供給チャンバ１２に隣接した部分は固い壁のない枠でよい。
【００３３】
化粧品の場合には、ディスペンサーは小さい方が望ましい。シェルの外径は３ｃｍが望ましい。撹拌バーは混合チャンバの直径よりわずかに小さい直径、例えば２．７ｃｍを有する。これは混合チャンバの中にある撹拌バーの回転のためのゆとりである。それぞれの供給チャンバの直径は０．７ｃｍであり高さはおおよそ３ｃｍであることが望ましい。
【００３４】
本発明のディスペンサーはたくさんの分野で用いることができる。以下に、その例を示す。
【００３５】
化粧品
本発明のディスペンサーは異なった色の化粧用成分を混合して、所望の色とするために用いることができる。例えば、口紅は無数の色が売られている。本発明においては、２つもしくはそれ以上、望ましくは３つもしくは４つの異なった色の流体化粧用成分を個々の供給チャンバに入れ、そしてユーザーの求めている最終的な色に基づいて計量して、混合チャンバに供給する。
【００３６】
化粧用成分の色は、例えば青色、赤色、緑色、もしくは赤色、黄色、青色のような原色が望ましい。これによりユーザーは自由な色調や色の化粧品を形成できる。あるいは鮮紅色、薄紅色、深紅色のような、同系等の色とし、より微妙な色の配合の化粧用品を形成できるようにしてもよい。
【００３７】
各供給チャンバが投与手段を有しているので、ユーザーはカラーチャートに基づくかまたは自分自身の目（経験的に）に基づくかして、混合チャンバに加える化粧用成分それぞれの量を選ぶ。
【００３８】
適切な量の成分を混合チャンバに加えた後、混合チャンバの混合手段を使用して、均質の混合物を形成する。個々の成分は融和性があって、混合したときに均質な混合物が形成されなければならない。
【００３９】
上記化粧用成分は唯一異なっているのは色のみで全て同じ種類の化粧用成分であるから融和性がある。例えば、それぞれの供給チャンバには異なった色の口紅を収容できる。各供給チャンバには投与手段がついているので、それぞれの化粧用成分が適切な量で混合チャンバに投与され、そして混合手段により混合されて均質に着色した混合物を形成する。
【００４０】
本発明によれば、このようにして混合チャンバの中に投与する各色の化粧用成分の量を調整することで望み通りの色の化粧品を作ることができる。
【００４１】
第４の供給チャンバに第４の成分として、化粧用エンハンサー（ｅｎｈａｎｃｅｒ）を収容して、それを混合チャンバに供給して他の成分と混合するようにしてもよい。このエンハンサーは、ある程度までは供給チャンバの中にある化粧用成分の種類に依存する。例えば、マニキュア液、マニキュア硬化剤、マニキュア光沢剤用のエンハンサーを第４の供給チャンバに入れてもよい。ファンデーションあるいは口紅においては、モイスチャライザー（肌に潤いを与えるもの）または日焼け止めをエンハンサーとすることができる。モイスチャライザーと日焼け止めを結合して１つにし第４のチャンバの中に入れることができるのは言うまでもない。さらに最終的な化粧品に香りを加えるために香料あるいは香りの付いた流体を第４のチャンバの中に入れてもよい。
【００４２】
口紅、アイシャドウ、ファンデーションにおいてはユーザーはその混合物を指を使ってつけることができる。ユーザーはディスペンサーの口をはずして、指でその混合物をつける。マニキュア液においては、専用のアプリケーターがキャップの中に収容されていて、そのアプリケーターを使用してその混合物を爪に塗る。
【００４３】
ヘルスケア用品（ｐｅｒｓｏｎａｌ ｈｙｇｉｅｎｅ）
本発明のディスペンサーは異なったヘルスケア用品成分を混合して所望の混合物とするのに用いてもよい。この場合各供給チャンバには、所望の混合物を形成するために混合チャンバに供給する異なった流体成分が収容される。例えば、異なった阻止あるいは防止指数（通常日焼け止め指数あるいはＳＰＦと称される）の日焼けローション、モイスチャライザーあるいは異なる香りの付いた流体と一緒に用いることができる。練り歯磨きにおいては１つのチャンバに洗浄成分を入れ、第２のチャンバにホワイトニング成分を入れ、そして第３のチャンバはミントガム、レギュラーガム、風船ガムのような香りを入れてもよい。シャンプーの場合は１つのチャンバにベースとなる洗剤を、第２のチャンバにパイナップル、ライラック、ローズのような香りを、第３のチャンバにコンディショナーを収容するようにしてもよい。ハンドソープの場合には３つのチャンバに香り、ベースとなる石鹸、ハンドコンディショナーをそれぞれ入れてもよい。消臭剤の場合には各チャンバに消臭剤ベース、香り、皮膚柔軟剤を収容してもよい。ハンドローションにおいては各チャンバにベース、皮膚柔軟剤、香りを収容してもよい。これらは均質の混合物を形成するために用いることができる成分のほんの一例にすぎない。
【００４４】
ディスペンサーの口は成分の種類により様々なものが使用される。ヘルスケア用品の場合はほとんど搾り出し式の口が用いられる。
【００４５】
上記実施の形態は説明のためのものであり、請求項は本発明の精神及び範囲から逸脱しない限りにおいて、上記実施の形態の全ての変更例をカバーするものである。
【図面の簡単な説明】
【図１】
図１は本発明のディスペンサーの側面図である。
【図２】
図２は図１の２−２線方向に取ったディスペンサーの上面図である。
【図３】
図３は図１の３−３線方向に取ったディスペンサーの上面図である。
【図４】
図４は４つの供給チャンバを有するディスペンサーの上面図であり、
【図５】
図５は１０個の供給チャンバを有するディスペンサーの上面図である。
【図６】
図６は混合チャンバと供給チャンバの間に置かれた遮断板を有するディスペンサーの側面図である。
【図７】
図７は図６の７−７線方向に取ったディスペンサーの上面図である。
【図８】
図８は本発明の他の実施の形態のディスペンサーの断面図である。
【図９】
図９は図８の９−９線方向に取ったディスペンサーの上面図である。
【図１０】
図１０は交換自在のドーナツ型の供給チャンバを有するディスペンサーの側面図である。
【図１１】
図１１は図１０の１１−１１線方向に取ったディスペンサーの上面図である。
【図１２】
図１２は取り外し可能な供給チャンバとフレーム型のシェルを有するディスペンサーの側面図である。
【国際公開パンフレット】
2004513033.tif 000003
2004513033.tif 000004
2004513033.tif 000005
2004513033.tif 000006
2004513033.tif 000007
2004513033.tif 000008
2004513033.tif 000009
2004513033.tif 000010
2004513033.tif 000011
2004513033.tif 000012
2004513033.tif 000013
2004513033.tif 000014
2004513033.tif 000015
2004513033.tif 000016
2004513033.tif 000017
2004513033.tif 000018
2004513033.tif 000019
2004513033.tif 000020
2004513033.tif 000021
2004513033.tif 000022
2004513033.tif 000023
2004513033.tif 000024
2004513033.tif 000025
2004513033.tif 000026
2004513033.tif 000027
2004513033.tif 000028
2004513033.tif 000029
【国際調査報告】
2004513033.tif 000030
2004513033.tif 000031